(57)【要約】      （修正有）【課題】大雨による洪水や地震による津波などの水害が発生した場合でも、水に沈んで寝具が利用できないということのない寝具などの収納体を提供する。【解決手段】被収納物を脱気圧縮状態で収納できる収納体であって、この収納体の全部若しくは一部は、外シート材２と内シート材３とで構成される二重構造であり、この外シート材と内シート材との間には水に浮く浮力材４が設けられ、この収納体は被収納物を脱気圧縮状態で収納した際、水への沈降が生じないように構成されたものである。【選択図】図２
2016033050.tif 000002
【特許請求の範囲】
【請求項１】
被収納物を脱気圧縮状態で収納できる収納体であって、この収納体の全部若しくは一部は、外シート材と内シート材とで構成される二重構造であり、この外シート材と内シート材との間には水に浮く浮力材が設けられ、この収納体は前記被収納物を脱気圧縮状態で収納した際、水への沈降が生じないように構成されていることを特徴とする収納体。
【請求項２】
請求項１記載の収納体において、前記外シート材及び前記内シート材と周縁を接合して成る複数のシート体を袋状に連設、若しくは、前記シート体を袋状に折り曲げることで前記被収納物を収納し得るように構成したことを特徴とする収納体。
【請求項３】
請求項１，２いずれか１項に記載の収納体において、前記浮力材として発泡樹脂製の浮力材を採用したことを特徴とする収納体。
【請求項４】
請求項１〜３いずれか１項に記載の収納体において、前記外シート材及び前記内シート材として通気性を有しない合成樹脂製のシート材を採用したことを特徴とする収納体。
【請求項５】
請求項１〜４いずれか１項に記載の収納体において、前記外シート材と前記浮力材との間には補強面材が配設されていることを特徴とする収納体。
【請求項６】
請求項１〜５いずれか１項に記載の収納体において、前記浮力材は板状体であり、この浮力材の所定箇所をくり抜くことで形成されるくり抜き体が他用途に使用可能に構成されていることを特徴とする収納体。
【発明の詳細な説明】
【技術分野】
【０００１】
本発明は、収納体に関するものである。
【背景技術】
【０００２】
従来から、例えば寝具や衣類などの厚みがあって嵩張る被収納物を収納するものとして、例えば特許第３０１７５６２号に提案されるような収納体（以下、従来例）が提案されている。
【０００３】
この従来例は、通気性を有しないシート材を袋状に形成したもので、被収納物を脱気圧縮状態で収納できるように構成されたものであり、例えば、季節の変わり目に使わなくなった寝具を長期保管する場合や、旅行で衣類をカバンに入れて持ち歩く場合などに、寝具や衣類を圧縮して体積を減らすことで嵩張らない収納状態が得られる為、非常に便利である。
【先行技術文献】
【特許文献】
【０００４】
【特許文献１】特許第３０１７５６２号公報
【発明の概要】
【発明が解決しようとする課題】
【０００５】
ところで、近年頻発している自然災害を契機に、備蓄品に対する関心が高まる中、特に災害発生直後のインフラが断絶された状況下において、睡眠をとったり暖をとったりするための寝具が重要視されている。
【０００６】
そこで、この寝具を備蓄品として保管する場合においても、保管スペースは限られてしまう為、前述した従来例を利用して保管することになるが、例えば大雨による洪水や地震による津波などの水害が発生した場合、従来例は脱気圧縮状態においては空気が抜かれて一枚のプレートのような状態であって、水に沈んでしまう為、結局、水害発生時に寝具が利用できないという問題点が生じているのが現状である。
【０００７】
本発明は、前述した問題点を解消するもので、従来にない作用効果を発揮する非常に実用的な収納体を提供するものである。
【課題を解決するための手段】
【０００８】
添付図面を参照して本発明の要旨を説明する。
【０００９】
被収納物20を脱気圧縮状態で収納できる収納体Ｗであって、この収納体Ｗの全部若しくは一部は、外シート材２と内シート材３とで構成される二重構造であり、この外シート材２と内シート材３との間には水に浮く浮力材４が設けられ、この収納体Ｗは前記被収納物20を脱気圧縮状態で収納した際、水への沈降が生じないように構成されていることを特徴とする収納体に係るものである。
【００１０】
また、請求項１記載の収納体において、前記外シート材２及び前記内シート材３と周縁を接合して成る複数のシート体１を袋状に連設、若しくは、前記シート体１を袋状に折り曲げることで前記被収納物20を収納し得るように構成したことを特徴とする収納体に係るものである。
【００１１】
また、請求項１，２いずれか１項に記載の収納体において、前記浮力材４として発泡樹脂製の浮力材４を採用したことを特徴とする収納体に係るものである。
【００１２】
また、請求項１〜３いずれか１項に記載の収納体において、前記外シート材２及び前記内シート材３として通気性を有しない合成樹脂製のシート材を採用したことを特徴とする収納体に係るものである。
【００１３】
また、請求項１〜４いずれか１項に記載の収納体において、前記外シート材２と前記浮力材４との間には補強面材５が配設されていることを特徴とする収納体に係るものである。
【００１４】
また、請求項１〜５いずれか１項に記載の収納体において、前記浮力材４は板状体であり、この浮力材４の所定箇所をくり抜くことで形成されるくり抜き体４ａが他用途に使用可能に構成されていることを特徴とする収納体に係るものである。
【発明の効果】
【００１５】
本発明は上述のように構成したから、万一の水害時において水にさらされるような状況になっても、収納された被収納物は濡れないのは勿論、前述した従来例と異なり、脱気圧縮状態でも水に浮くことになる為、水に沈んで使用できなくなることは可及的に防止されることになり、しかも、浮力材が備わった構造の為、例えば被収納物を収納するたびに浮力材を一緒に収納する場合に比し、作業が簡易に行え且つ浮力材の入れ忘れも防止でき、そして更に、収納体の全部若しくは一部は多層である為、強度があって耐久性にも秀れることになるなど、従来にない作用効果発揮する非常に実用的な収納体となる。
【図面の簡単な説明】
【００１６】
【図１】本実施例を示す斜視図である。
【図２】本実施例に係る要部の斜視図である。
【図３】本実施例に係る要部の分解斜視図である。
【図４】本実施例に係る要部の断面図である。
【図５】本実施例に係る要部の説明図である。
【図６】本実施例の使用状態説明図である。
【図７】本実施例の使用状態説明図である。
【発明を実施するための形態】
【００１７】
好適と考える本発明の実施形態を、図面に基づいて本発明の作用を示して簡単に説明する。
【００１８】
本発明の収納体に被収納物20を脱気圧縮状態で収納する。
【００１９】
この脱気圧縮状態において、万一水にさらされた場合、収納した被収納物20が水に濡れることはなく、また、浮力材４の浮力により水に浮かぶ。
【００２０】
従って、例えば、万一の水害発生時に水にさらされるような状況になっても、水に浮かんだ状態となるから、被収納物20を入手し易くなる。
【００２１】
また、本発明は、収納体Ｗの全部若しくは一部は、外シート材２と内シート材３とで構成される二重構造であり、この外シート材２と内シート材３との間には水に浮く浮力材４が設けられている。即ち、浮力材４を予め備えた構造の為、例えば被収納物20を収納するたびに浮力材４を一緒に収納する場合に比し、作業が簡易に行え且つ浮力材４の入れ忘れも防止でき確実に浮力が具備される。
【実施例】
【００２２】
本発明の具体的な実施例について図面に基づいて説明する。
【００２３】
本実施例は、被収納物20を脱気圧縮状態で収納できる収納体Ｗであって、この収納体Ｗの全部若しくは一部は、外シート材２と内シート材３とで構成される二重構造であり、この外シート材２と内シート材３との間には水に浮く浮力材４が設けられ、この収納体Ｗは前記被収納物20を脱気圧縮状態で収納した際、水への沈降が生じない浮力を有するものである。
【００２４】
尚、本実施例では、被収納物20として布団や毛布を採用しているが、災害時に必要な備蓄品、例えば非常食や衣類など、本実施例の特性を発揮するものであれば適宜採用し得るものである。
【００２５】
具体的には、収納体Ｗは、図１に図示したように一対のシート体１を上下に重合状態に配し、この状態で重合する周縁のうち一部（一辺）を残して帯状に接着（熱溶着）して袋状に構成されており、この接着しない開口部から内部に被収納物20を収納することができる。
【００２６】
尚、一枚のシート体１にフィルム（特に浮力材４などを具備しないフィルム）を重合連設して袋状としても良く、また、一枚のシート体１を袋状に折り曲げることで被収納物20を収納し得るように構成しても良い。
【００２７】
シート体１は、図２〜４に図示したように通気性を有しない外シート材２と内シート材３との間に水に浮く浮力材４を配設した構成であり、具体的には、シート体１は、浮力材４を間に配設した外シート材２と内シート材３との周縁同士を帯状に重合接着（熱溶着）させることで構成されている。
【００２８】
本実施例では、外シート材２及び内シート材３として、通気性を有しない合成樹脂製（ポリエステル）のシート材を採用しており、いずれも平面視方形状に形成されている。
【００２９】
尚、外シート材２及び内シート材３においても浮力が発揮され易い材質のものが良い。
【００３０】
また、本実施例では、浮力材４として、発泡樹脂製（ウレタンフォーム）の浮力材４を採用しており、平面視方形状の板状に形成されている。
【００３１】
この浮力材４の浮力は、シート体１で被収納物20を包み込んで脱気された脱気圧縮状態とした際、水への沈降を阻止する浮力に設定されている（収納する被収納物20に応じて浮力は設定される。）。
【００３２】
また、図５に図示したように浮力材４の所定箇所をくり抜くことで形成されるくり抜き体４ａが他用途、例えば、履物などの災害時に必要とされる物品に使用可能となるように構成しても良い。
【００３３】
尚、浮力材４は外シート材２と内シート材３との間に充填して配設する構成としても良い。
【００３４】
また、本実施例は、外シート材２と浮力材４との間には平面視方形状の補強面材５が配設されている。
【００３５】
本実施例では、この補強面材５として、アラミド繊維から成る面材を採用している。
【００３６】
尚、補強面材５の素材としてはアラミド繊維に限らず、例えばアルミフィルムなど強度があって軽量の面材であれば適宜採用され、また、必要に応じて複数枚配設しても良い。
【００３７】
また、図７は、上下に配した一対のシート体１の間に被収納物20を配し、この状態で脱気処理装置10内で脱気しつつシート体１の周端縁部同士を熱溶着することで脱気圧縮状態とする場合であり、予めシート体１で袋を構成する前述した場合と異なり、被収納物20の包み込み、脱気及び熱溶着を一連の工程で行う場合である。
【００３８】
本実施例は上述のように構成したから、図６に図示したように収納体Ｗの開口部から被収納物20を収納し、この状態で脱気処理装置10内で脱気しつつ開口部を熱溶着して封止することで脱気圧縮状態とする。
【００３９】
この脱気圧縮状態において、万一水にさらされた場合、通気性を有しないシート体１で構成されている為、収納した被収納物20が水に濡れることはなく、また、浮力材４の浮力により水に浮かぶ。
【００４０】
よって、本実施例によれば、万一の水害時において水にさらされるような状況になっても、収納された被収納物20は濡れないのは勿論、前述した従来例と異なり、脱気圧縮状態でも水に浮くことになる為、水に沈んで使用できなくなるようなことを可及的に防止し得ることになり、しかも、浮力材４を予め備えた構造の為、例えば被収納物20を収納するたびに浮力材４を一緒に収納する場合に比し、作業が簡易に行え且つ浮力材４の入れ忘れも防止でき、そして更に、収納体Ｗを構成するシート体１が多層である為、強度があって耐久性にも秀れることになる。
【００４１】
また、本実施例は、外シート材２及び内シート材３と周縁を接合して成る複数のシート体１を袋状に連設、若しくは、シート体１を袋状に折り曲げることで被収納物20を収納し得るように構成したから、確実に被収納物20を水に浮く脱気圧縮状態が得られることになる。
【００４２】
また、本実施例は、浮力材４として発泡樹脂製の浮力材４を採用したから、確実に良好な浮力が得られ、しかも、コスト安にして量産性に秀れることになる。
【００４３】
また、本実施例は、外シート材２及び内シート材３として通気性を有しない合成樹脂製のシート材を採用したから、確実に良好な脱気圧縮状態が得られ、しかも、コスト安にして量産性に秀れることになる。
【００４４】
また、本実施例は、外シート材２と浮力材４との間には補強面材５が配設されているから、耐久性に秀れて脱気圧縮状態を保持し得ることになる。
【００４５】
また、本実施例は、浮力材４は板状体であり、この浮力材４の所定箇所をくり抜くことで形成されるくり抜き体４ａが他用途に使用可能に構成されているから、例えば災害時に被収納物20を取り出すべくシート体１を破った際など、浮力材４も取り出して用途が付与されたくり抜き体４ａを使用することができ、多機能で非常に便利である。
【００４６】
尚、本発明は、本実施例に限られるものではなく、各構成要件の具体的構成は適宜設計し得るものである。
【符号の説明】
【００４７】
Ｗ  収納体
１  シート体
２  外シート材
３  内シート材
４  浮力材
４ａ  くり抜き体
５  補強面材
20  被収納物
【図１】
2016033050.tif 000003
【図２】
2016033050.tif 000004
【図３】
2016033050.tif 000005
【図４】
2016033050.tif 000006
【図５】
2016033050.tif 000007
【図６】
2016033050.tif 000008
【図７】
2016033050.tif 000009